(57)【要約】      （修正有）【課題】歯から派生する病巣感染の源となる菌の増殖による虫歯や歯槽膿漏、歯垢の蓄積等に対し、狭隘な歯間に対し、電導性のあるナノセルロースと光触媒酸化チタンによる清浄をし、口腔内環境を改善する口腔清浄具を提供する。【解決手段】安全性や環境を考慮した楊枝、糸つきようじ、ブラシ、フロス、テープ、ゴム、紐、ピック、プラスチック、繊維、ナイロンを先端部に持つ口腔清浄具に電導性のあるナノセルロースと酸化チタンを塗布等し、口腔内の歯間１０や歯茎に附着させ光触媒活性で殺菌・分解による雑菌の死滅作用となる事で衛生的な環境改善が得られ口腔内を清潔に維持させる。【選択図】図２
2020203057.tif 000002
【特許請求の範囲】
【請求項１】
口腔内の歯間や歯肉の食査を取り除く楊枝、糸やブラシ、テープ、ゴム、紐を有する口腔内清浄具であって、
前記、楊枝の先端と、糸やブラシ、フロス、テープ、ゴム、紐、ピックの全方向には、光触媒となる酸化チタン粉末や酸化チタン液体を塗布や染付け、埋め込み、貼り付けまたはスプレーで吹き付けし、酸化チタンを固定化させた清浄部と、
この清浄部を接続させるように形成された手持部を有し、
この手持部は、前記清浄部から前記手持部先端部に向けて挿入または嵌合させ形成されるとともに、前記手持部は回転および伸縮形成したことを特徴とする光触媒口腔清浄具。
【請求項２】
清浄部の一部に所定の大きさを有する薄い被膜袋が付帯・形成され、前記被膜袋には２ｃｃ以下程度の光触媒となる酸化チタン液体が挿入充填とともに、歯、歯茎、歯肉、歯間、舌の口腔内固体物等および食査または唾液との接触により破裂開放する事を特徴とする請求項１に記載の光触媒口腔清浄具。
【請求項３】
清浄部に使用する酸化チタンは光触媒活性の高い天然のアナターゼ型酸化チタンまたは、ブルッカイト型酸化チタンを利用した請求項１乃至２に記載の光触媒口腔清浄具。
【請求項４】
清浄部に使用する光触媒となる酸化チタン粉末や酸化チタン液体にナノセルロースを混合する事を特徴とした請求項１乃至３に記載の光触媒口腔清浄具。
【請求項５】
光触媒となる酸化チタン液体２ｃｃ以下程度を被膜袋状および輪袋状のカプセルに挿入充填し形成され、ブラッシング接触や圧入で破裂させて口腔内及び口腔清浄具に散布または塗布する他、清浄部を衛生的に保持する事を特徴とした請求項１乃至４に記載の光触媒口腔清浄具。
【発明の詳細な説明】
【技術分野】
【０００１】  本発明は光触媒とナノセルロースを利用した口腔内清浄具に関する。
【背景技術】
【０００２】  一般的に歯が源となる病巣感染は、その毒性の保持者、被保持者、或はそれに気付かない潜在的病巣感染保持者に分けられ日常を過している。無菌である事が理想とされる口腔内には細菌が存在し、虫歯や歯肉炎を含めた歯槽膿漏、歯垢による口臭の発生等が起こる事は知識としてはあるが、歯科医師による治療通院患者や治療の放置または気付かずにいる保菌者が、歯が源となる病巣感染を意識し実行する事は稀であるため、生活習慣として食後の歯ブラシによる歯磨きや補助的役割として糸ようじや歯間ブラシ、デンタルフロスが種々提案されている程度が通常であり、歯科医への受診は激痛や疼痛に襲われた時や、個人差はあるが年に数回の定期健診、逆に全く歯科医に行かないなど様々で、自己防衛として他の病気と比較すると軽視されている。
【先行技術文献】
【特許文献】
【０００３】
【特許文献１】特開２００９−０５６３４８号広報
【特許文献２】特開２０１０−２２２４４４号広報
【特許文献３】特開２００６−０６１２９２号広報
【特許文献４】特開２００１−２２０３０９号広報
【参考文献】
【０００４】
【参考文献１】
厚生労働省化学物質のリスク評価検討会  リスク評価書Ｎｏ５２酸化チタン（ＶＩ）（ナノ粒子を除く）  有毒性総合評価表  ２０１６年１２月
【参考文献２】
環境保全研究所“生体融合型光触媒を利用した光触媒  トリニティー  業務用”［平成３１年４月１３日検索］インターネット
【参考文献３】
光触媒のすべて  藤嶋昭  ダイヤモンド社  ２０１７年１１月１日
【参考文献４】
光クリーン革命  藤嶋昭、橋本和仁、渡部俊也  シーエムシー社  １９９７年１月１０日
【参考文献５】
抗菌・抗ウイルス材料の開発・評価と加工技術  技術情報協会  ２０１３年１０月３１日発刊
【参考文献６】
種々の曝露経路による二酸化チタンの体内分布及び毒性  環境毒性学会誌  江馬眞、小林憲弘、納屋聖人、花井荘輔、中西準子  ２０１０年１２月２７日
【参考文献７】
食品安全委員会  食品安全総合情報システム  食品安全関係情報詳細  欧州食品安全機関（ＥＦＳＡ）、人工甘味料の安全性に関する研究論文２報について声明を発表予定  ２０１１年２月７日  ［２０１９年４月１５日検索］インターネット
【参考文献８】
光触媒のしくみ  藤嶋昭、橋本和仁、渡部俊也  日本実業出版社２０００年  ７２−７３
【参考文献９】
光触媒の医学・医療への応用  実用化の現状およびその可能性を探る−光触媒による院内感染の防止および空気清浄化−  藤嶋昭、窪田吉信  Ｍｅｂｉｏ２７  ２０００年７２−７３
【参考文献１０】
二酸化チタン配合漂白剤の生活歯漂白法  日歯保存誌４８  ２００５年１８７−１９３
【参考文献１１】
可視光応答型酸化チタン光触媒を用いた義歯付付着物の除去に関する研究：歯科材料・器械２４  齊藤仁弘、升谷滋行、塩田陽二、廣瀬英晴、平野進  ２００５年  ２１６−２２０
【参考文献１２】
光触媒の問題点光触媒と関連技術、第１版  日刊工業新聞  ２０００年４９−５１
【参考文献１３】
許容濃度の勧告（２０１８年度）許容濃度の性格および利用上の注意  産業衛生学雑誌  ２０１８年５月１７日  １１６−１４８
【参考文献１４】
光触媒の世界  竹内浩士  村澤貞夫  指宿堯嗣  （株）工業調査会出版  ２０００年１０月
【参考文献１５】
第一人者が明かす光触媒の全て  藤嶋昭  ダイヤモンド社  ２０１７年１１月
【参考文献１６】
図解解説光触媒  佐藤しおり編著  ナツメ社  ２００４年１１月
【参考文献１７】
図解よくわかるナノセルロース  ナノセルロースフォーラム  日刊工業新聞社  ２０１５年８月  Ｐ１６９  Ｉｓｏｇａｉ  ａｎｄ  Ｋａｔｏ．Ｃｅｌｌｕｌｏｓｅ．４．１５３（１９９８）：第一工業製薬．セロゲンパンフレット他
【発明が解決しようとしている課題】
【０００５】  しかしながら、口臭等は消臭液などで防止するが、糸ようじや歯間ブラシ、楊枝等の清浄具は、歯や歯茎の周囲を処理する他、歯間や歯肉に付着した食査等の清浄を目的とするのみで利用し、食習慣等の生活改善として就寝前に甘味類の摂取を控える程度の口腔予防であり、口腔内の環境改善や歯から派生する病巣感染の源となる菌の増殖による虫歯や歯槽膿漏、歯垢の蓄積等に対し、歯間は狭隘のため殺菌による清浄予防が出来ない問題があった。
【０００６】  本発明の課題は、以上のような問題点に鑑み、歯から派生する病巣感染の源となる菌の増殖による虫歯や歯槽膿漏、歯垢の蓄積等に対し、歯間は狭隘のため、電導性のあるナノセルロースと光触媒酸化チタンによる清浄をし、口腔内環境を改善する口腔清浄具を提供することにある。
【課題を解決するための手段】
【０００７】  そこで、本発明は上記課題を解決するために、口腔内の口臭及び虫歯や歯肉炎を含めた歯槽膿漏等の菌が定常的に発生し難い環境を作る為、歯間や歯肉の食査を除去する口腔清浄具の先端部の楊枝、糸つきようじ、ブラシ、フロス、テープ、ゴム、紐、ピック、プラスチック、繊維、ナイロンなど（以後楊枝等）に光触媒酸化チタンを塗布または光触媒となる９９％が水分の光触媒酸化チタン液体２ｃｃ以下をその袋状皮膜に充填し付帯させ、唾液や口腔内接触で溶解開放させた清浄部および、光触媒酸化チタンが挿入充填されたカプセルを口腔内へ圧入または接触により破裂させ、その酸化チタンを楊枝等の口腔清浄具の先端部に塗布させ歯間に数回程度の強弱な差し入れを反復する事で先端部に浸潤された光触媒酸化チタンを歯に接触させ光触媒活性を促す間に歯間や歯茎に付着する細かい菌等が反応し、殺菌・分解による菌の死滅作用が得られる他、楊枝等の口腔清浄具にチタン被膜を形成する事で歯間の食査や歯垢を作り出す細かい菌の栄養源の食物が楊枝等の口腔清浄具により簡易に取り除かれ、歯垢が出来難い環境を創出し、結果として虫歯や歯槽膿漏の発生し難い環境と口腔内を衛生的に保つ事を要旨としている。さらに、光触媒のより高い持続性効果など使用方法を考慮した場合、摩耗の激しい清浄部のみを交換式にし、手持部に挿入使用するとコスト面でも安価となり、連続的な使用も可能となる。
【０００８】  しかしながら、公知の事実として口腔内には７１０種以上にのぼる細菌種が存在しているが、虫歯の病原因子Ｓｔｒｅｐｔｏｃｏｃｃｕｓ  ｍｕｔａｎｓに対する抗菌性や、酸化チタン配合歯磨剤はＳｔｒｅｐｔｏｃｏｃｃｕｓ  ｍｕｔａｎｓを減少させる事も公知されている。しかも、細菌種の中で歯周病原細菌Ｒｅｄ  ｃｏｍｐｌｅｘの病原性が最も強いＰｏｒｐｈｙｒｏｍｏｎａｓ  ｇｉｎｇｉｖａｌｉｓが虫歯の原因であるとＳｔｒｅｐｔｏｃｏｃｃｕｓ  ｍｕｔａｎｓと同様に公知されており、これらの菌に対し光触媒酸化チタンの抗菌効果について実験中である事も報告されているが、既に光触媒には抗菌力があると公知もされている。さらに、口臭の原因の一つで主な悪臭物質としてアンモニア・メチルカブタン・アセトアルデヒド等があるが、図２３に示したように環境中の濃度でも規制が設けられており、これらに対し光触媒を使用する事は実験で確認し有効であった。但し、悪臭は細菌でもある事から、他の方法も必要とする。
【０００９】  また、口腔内は口の大小や歯並び等、個人差があり煩雑な為、光触媒口腔清浄具の先端部の角度を自由に変える事が出来るように、手持部は回転や伸縮可能に形成される。
【００１０】  さらに、楊枝等の光触媒口腔清浄具の清浄部に使用する酸化チタンは光触媒活性の高い天然のアナターゼ型酸化チタン（以下光触媒溶液）または、ブルッカイト型酸化チタン（以下光触媒溶液）を利用する。光触媒溶液は不導体被膜を作る特性があり、これは耐食性に優れ、密着性も十分得られる。チタンは硝酸やクロム配に強い特徴を有し、酸化腐敗や隙間への薄い被膜を形成する事に特化できるものである。
【００１１】  また、既に流通している口腔ケア製品および楊枝や割箸等に対し、光触媒溶液が挿入充填されたカプセルを付帯させ使用時に口腔内で溶解開放する事や、光触媒溶液をスプレー容器に入れ口腔ケア製品に塗布させる。割箸に塗布した場合、当然、光は必要となるが、食物を刺すまたは挟むなどの動作により光触媒酸化チタンを浸潤させる。それは、人間の歯間が他の動物と比べ、非常に狭く食査等を取り除く事が困難で、虫歯や歯槽膿漏、歯垢による口臭まで引き起こす原因となり、歯ブラシ程度は口腔内の隅々までケアする事が困難なのは明らかで、光触媒溶液を使用した種々の楊枝は必要不可欠となる。
【００１２】  また、光触媒の効果を得る場合、口腔内に光・酸素・紫外線が必要であり、その反応が起きる時間は口腔の大きさ等で個人差と時間差は生じるが、光触媒口腔清浄具を使用する際は必ず口を開ける為、日常生活の中で使用する事で反応時間が短い状況でも光触媒反応が起きる。頻繁に使用する清浄部は衛生面やゴミの問題を考慮すると、使い捨てが可能な木製及び紙製が最良であり、唾液によりふやける事や、歯等との接触により微細な裂け目が起こる事で、歯ブラシと同様のブラシ効果も得られるが、狭隘な場合や食査により金属製や樹脂製に光触媒溶液を塗布または２ｃｃ以下程度の光触媒溶液が挿入された薄い被膜輪袋を付着させ使い分ける事が望ましい。例えば、楊枝等の口腔清浄具が木製の場合、塗布させた光触媒が歯間との接触により、摩耗で削り落とされる或いは欠損箇所の保護や、溶液補充の目的も含めた２ｃｃ以下の数値となる。
【００１３】  光触媒の酸化チタンは参考文献１に示されたように極端な例ではあるが実質的に無害とされ１ポンド（４５０ｇ）を経口摂取した場合でも人体への影響は無いと一部では言われているが、２４時間以内に体外に排泄された事をＡＣＧＨ図表１、Ｐ急性毒性欄にある。しかしながら、一方では主に海外のヨーロッパとアメリカで有害説もあるが、当然、これも決定的な証明や実例の報告の中に、癌患者若しくは有害による死亡者の報告は一件もなく不確定である。本発明では参考文献２に示した無害を公知している環境保全研究所で製造・商品化されている生体融合型光触媒トリニティーゼットを採用する事も考慮する。当然、本発明は楊枝等の口腔清浄具に特化し、光触媒は市販流通している物を使用する事が前提となる。一般的な例を挙げると抗菌だけでなく大腸菌Ｏ１５７ｂの死滅時に生成するベロ毒素も光触媒で分解出来ると考えられている事や、単に細菌を殺すだけではなく、その死骸も分解して体外に排泄するに至るまでが公知されており、１０００ルクス程度の光でブドウ球菌等の細菌を死滅させるのが、光触媒の細胞殺菌効果である。この無害の公知を補足する上で、環境保全研究所の生体融合型光触媒トリニティーゼットを例に挙げると、使用する材料には食品添加物に使用している酸化チタンの他、骨の材料であるリン酸カルシウム、トウモロコシが主成分のシクロデキストンやシルクなど、生体に安全な物で構成されており、蚕に飼料として与えても問題が無いと無害を公知しており、本発明は、これを参考に光触媒溶液を光触媒口腔清浄具先端部の糸、ブラシ、テープ、紐に塗布または光触媒溶液を被膜袋に充填させ、接触時に破裂開放し口腔内へ塗布させ使用する事とした。また、混合物質の許容濃度として参考文献１３に示されているが、この数値は当該物質が単独で空気中に存在する場合のものであり、２種またはそれ以上の物質に曝露される場合には個々の物質の許容濃度のみによって判断してはならないとなっており、現実的には相加が成り立たない事を示す証明がない場合には、２種またはそれ以上の物質の毒性は相加されると想定し、次式によって計算されるＩの値が１を越える場合に許容濃度を越える曝露と判断するのが適当であると示されている。
2020203057.tif 000003
この場合、Ｃｉは各成分の平均曝露濃度を示し、Ｔｉは各成分の許容濃度を示す。ただし、有害物質の許容濃度の基準は職場における環境原因による労働者の健康障害を予防するための手引きに用いられることを目的とし、日本産業衛生学会が勧告している。
【発明の効果】
【００１４】  以上、説明したように本発明の楊枝等の光触媒口腔清浄具は、清浄部の３６０度全方向に万遍なく光触媒溶液または図１８に示した接着させる粉体を塗布させ、口を開ける事で口腔内に光触媒反応を起こした上で、歯間や歯肉に清浄部を挿入または接触させ不快な食査を除去し、光触媒活性により歯間や歯茎に付着する細かい菌等に擦り触れる事により反応させて、殺菌・分解による雑菌の死滅作用が得られ、その回収排泄により口腔内を衛生的にし、虫歯や口臭、歯の漂白効果が期待出来る。また、歯科関連施設でも光触媒は利用されており、その有効性も公知されているが、歯の漂白については半年以上の長期使用によるものである。一般的には光触媒を利用するには紫外線を必要とするが、今日では環境保全研究所社の光触媒トリニティーでも公知されている通り、可視光で反応させる光触媒と口腔内を照射させる差し込み式ＬＥＤライトを採用する事で、広範囲な環境での使用が可能となる。また、狭隘な場合や食査により金属製や樹脂製、ゴム製でも清浄部の安全性や環境を考慮し、木製および紙製と使い分ける事とするが、昨今の廃プラスチック等のゴミ処理問題から鑑みると、木製や紙製の採用が望ましい。
【００１５】  さらに、一般の楊枝と同様にレストラン等の外食産業、個別の食卓や弁当等の食事をする際、身近に置く事で習慣的に持続性のある使用が出来る他、ケースや個別袋で常に携帯する事で、歯磨きが出来ない水の無い場所や、病気・介護等で身動きが困難な方まで、介護者によって使用も可能となる為、より多くの方の口腔内環境の改善や状態が得られる楊枝等の光触媒口腔清浄具である。当然、楊枝等の光触媒口腔清浄具の使用場所である食卓等での据え置き容器にはＬＥＤ球により光を照射出来るように取り付けてもよい。
【００１６】  また、虫歯や歯槽膿漏時には、歯ブラシの接触で痛みにより歯磨きが出来なくなる場合も多々あるが、光触媒口腔清浄具は軽量で先端部の操作性と柔らかく作られ手持部を回転伸縮し変形させる事で個別の歯や歯茎の状態に対する接触方法も任意となる。さらに、光触媒溶液の継続的な使用で口腔内の歯周疾患を抑制する効果が得られ、楊枝等の光触媒口腔清浄具の清浄部に痛み止め等の塗り薬を塗布させ口腔内へ指などを使わずに歯痛の原因となる患部へ接触させるなどの衛生的に使用する事も一考である。
【００１７】  一方、使い捨て箸、割箸等も材質は自然樹木質・竹材質等であり、食事の際に利用する事で、口腔内に持続的な光触媒を接触させるには好ましく、楊枝等の光触媒口腔清浄具と同じく２ｃｃ以下程度の光触媒溶液をスプレー等で塗布し光触媒被膜を形成し、浸潤、接着させ使用する事で口腔内の歯周疾患等に対する衛生環境が整う事を可能とするものである。
【００１８】  さらに、光触媒の毒性・無害性については既に詳細は公知されおり、楊枝等の光触媒口腔清浄具はその範囲で製造する。また、光触媒は一般的に壁などの固定物であり固体物に対し有効とされているが、手術等にも使用されている体内差し込みチューブにも光触媒が使用され公知となっている事から、本発明の楊枝等の光触媒口腔清浄具についても固体物であり同様の効果が得られる。
【図面の簡単な説明】
【００１９】
【図１】光触媒口腔清浄具である楊枝の全体図である。
【図２】光触媒口腔清浄具である楊枝の清浄部の最先端部を歯間に入れ光触媒効果が生起する塗擦をして食査を排除している口腔部分正面図である。
【図３】光触媒口腔清浄具である楊枝が枝上に分かれた極細の最先端部を歯槽・歯肉膿瘍状態の歯肉に挿入し光触媒効果が生起する塗擦をして食査を取り除く断面図である。
【図４】光触媒口腔清浄具である紙製の清浄部が唾液によりふやけた最先端部で歯の表面に接触させ光触媒効果が生起する塗擦をしている図である。
【図５】光触媒口腔清浄具である楊枝の清浄部を歯の虫歯欠損部に滞留した食査を取り除くために挿入させ光触媒効果が生起する塗擦した図である。
【図６】光触媒口腔清浄具である楊枝または糸、ブラシ、テープ、紐の清浄部を歯の虫歯欠損部に滞留した食査を取り除くために光触媒効果が生起する塗擦をして挿入させた図である。
【図７】食査を取り除くために歯と歯肉に光触媒口腔清浄具の清浄部を光触媒効果が生起する塗擦をして接触させた断面図である。
【図８】口を開けて光触媒口腔清浄具である楊枝を光触媒効果が生起する塗擦をして使用している図である。
【図９】（Ａ）光触媒溶液を入れた薄い被膜の袋を光触媒口腔清浄具の清浄部に付帯した拡大図（Ｂ）薄い被膜に光触媒溶液を入れ光触媒口腔清浄具の清浄部を歯に接着させ光触媒溶液を破裂放出させ光触媒効果が生起する拡大図である。
【図１０】紫外線・可視光線の測定をする紫外可視吸光度測定法を示した図である。
【図１１】蛍光分光光度計の装置図である。
【図１２】蛍光光度法の測光方式の図である。
【図１３】（Ａ）光触媒口腔清浄具の清浄部を併用させた斜視図（Ｂ）光触媒口腔清浄具の清浄部を併用させ使用後の楊枝を折り外した斜視図である
【図１４】（Ａ）光触媒口腔清浄具の清浄部がブラシで手持部が回転・伸縮する全体図（Ｂ）清浄部がテープまたは紐で手持部が回転・伸縮する平面図である。
【図１５】（Ａ）口腔内を照射させるＬＥＤライトの一例で全体図である。（Ｂ）ＬＥＤライトに光触媒口腔清浄具を装着使用してＬＥＤ球で口の中を照射している図である。
【図１６】二酸化チタンナノ粒子の許容濃度を示す図である。
【図１７】ＡＳＴＭ規格に規定されているインプラント用チタン材料の図である。
【図１８】ポーラスな表面と緻密な表面を楊枝等の木質を一例とし保護層と光触媒溶液である酸化チタン層とその付着（吸着）状態を示した図である。
【図１９】アナターゼ型ＴｉＯ２光触媒反応による浄化を示す図である。
【図２０】紙に添加した二酸化チタンのモデル図である。
【図２１】繊維が光触媒作用で分解するのを防ぐとともにＴｉＯ２を繊維上に固定するためのＳｉＯ２を示す図である。
【図２２】繊維等の有機物に酸化チタンが直接触れないようにする構造を示した図である。
【図２３】規制が設けられている主な悪性物質とその規制値を示した図である。
【図２４】セルロースシングルナノファイバーの粘度の依存性を示した図である。
【発明を実施するための形態】
【００２０】  光触媒口腔清浄具は、楊枝の先端部や糸つきようじ、ブラシ、フロス、テープ、ゴム、紐、ピック、プラスチック、繊維、ナイロン（以後楊枝等）の清浄部３６０度全方向に万遍なく光触媒溶液を塗布または光触媒溶液が充填された溶液袋・輪袋を付着の他、マッチ棒状先端の頭薬部を光触媒溶液袋に付け替え、口を開ける事で口腔内に太陽光は勿論の事、可視光・酸素・紫外線が入り、光触媒反応を起こした上で口腔内の歯間や歯肉に清浄部を挿入または接触、或いは強弱な差し入れを反復させ光触媒溶液や粉体を浸透させながら不快な食査を除去し、光触媒活性により歯間や歯茎に付着する細かい菌等に反応させ、殺菌・分解による菌の死滅作用が得られ口腔内の食査、死滅した菌の回収排泄で衛生的にする事が可能とするものと公知されているが、歯周病菌や虫歯菌については限定しない。その上、光触媒歯磨き粉や光触媒歯磨きブラシでは歯の奥まで毛先は届かないが、現在では多様な種類の楊枝を差し込む等で安全に利用が可能となった事から、それらに光触媒溶液または粉体を塗布等させ流し込み、より多く浸透するように強く擦り食査や歯垢を作り出す細菌の栄養源が取り除かれ易くなり、歯の表面や歯間等に酸化チタン被膜を形成して、歯垢が出来難く結果として虫歯や歯槽膿漏の菌が発生しない環境となる。
【００２１】  さらに、爪楊枝に使用される樺の木は清熱利湿薬、鎮咳痰薬、皮膚痛、香料剤として利用され、返材部を回転させながら細く削り、先端部を尖らせる爪楊枝状にするが、プラスチック等楊枝の表面と比較すると、その表面の凹凸は激しくポーラスな材料である。その上、光触媒はナノミクロの粒子である為、吸着量が多く効果も大きく、その固定化を図る木質等の楊枝と、プラスチック系が代表とされる表面に凹凸が無い楊枝によって大別される。プラスチック系楊枝であれば、光触媒溶液または粉体との間に介在させる吸着層として有機・無機のハイブリッドポリマ（有機物が分子レベルで混合した化合物）が光触媒の固定化に有効である。木質等楊枝の場合は、無機系であり常温近くで硬化し結合が強いバインダーを添加しコーティングさせ、場合により定期的に楊枝の保管容器内に光触媒溶液をスプレーや塗布しても良い。
【００２２】  また、口腔内を開けたままにした場合、呼吸する際に通常より酸素を必要とする為、口腔内は乾燥し、口を閉じれば個人差はあれど唾液が出て酸化物を生成し過酸水素（Ｈ２Ｏ２）後、水に酸化反応の電子が酸素分子へ移行しやすくする事で光触媒反応の効率を高められる為、楊枝で歯間や歯茎の不快な食査処理をする状態が、口腔の開口で光を取り込む他、ＬＥＤライトを手持部に差し込む事で十分な明るさを保持でき、呼吸で通常よりも多く酸素吸引する条件と合致する。その上で、楊枝等の光触媒口腔清浄具の清浄部に塗布された光触媒溶液が歯間や歯茎に直接接触した場合、食査の排除時や虫歯・歯肉炎等の歯槽膿漏箇所は光触媒の格好なターゲットとし反応する事から、毎日、毎食後に歯磨きや歯間ブラシを使用する以上の効果が得られる場合にもなる。さらに、抗生物質も効かないようなバクテリアを死滅させ且つ安全で無害な抗菌技術としては酸化チタン光触媒以外に候補が無く、多くの病院の手術室で光触媒酸化チタンが試され、その効果が実証された事から、この後種々の商品分野への展開が進み、その意味で健康医療技術は現在の光触媒酸化チタンの応用端緒であり、経口避妊薬等に用いられる人工女性ホルモン等の多くの化合物についても光触媒分解が試みられており、女性ホルモン活性を完全にゼロにするのを出来るのがわかっている。
【００２３】  ただし、光触媒が短時間で効果が出ない或は出来難い場合を仮定しても、一般的な習慣として、食後等の歯磨きを考慮すれば、楊枝等の光触媒口腔清浄具の毎日の使用は勿論、毎食に近い頻度で利用する行動は結果として口腔内に光触媒をより多く働かせる事となる。
【００２４】  実施例として、日本曹達製酸化チタンコーティング材であるビストレイタＨ２：アナターゼ型酸化チタンで造られている他、圧倒的多数の石原産業（株）製コーティング剤の光触媒で楊枝に直接噴霧したコーティング面と非噴霧面を目視した結果、楊枝等の光触媒口腔清浄具の１つである楊枝のコーティング面が薄くなる事から、２ｃｃ以下程度の光触媒溶液を薄い皮膜の袋状に挿入充填させ、悪臭である強い口臭の成因部に接触させ袋が破裂開放し光触媒溶液が付着した楊枝を使用した結果、照射されている紫外線や可視光線により口臭抑制を最大限に発揮できるなどの効果を有し、その一つの導因はキシリトール粉体を混成させる事である。しかも、冷水等による歯の沁みに対しては光触媒溶液が附着された楊枝が反応を示し、光触媒溶液を附着させた楊枝で歯の沁み周辺を清浄した結果、直ちに冷水を口腔内に飲み入れても沁みは感じられなかったが、数多くの臨床試験データを待つ事が必要なため試験を継続中である。口臭の原因や抑制方法については既に多くが公知され、光触媒溶液も反復して塗布する事もその選択肢の１つであり、挿入充填させる光触媒溶液については特に限定されないが生体に対し無害であるものが望ましい。
【００２５】  即ち、光触媒は有機物であれば相手をあまり選ばず最終的には二酸化炭素を水にまで分解してしまう非選択的性の反応であり、多機能、酸化分解力以外にも超親水性という性質がある事から、楊枝等の光触媒口腔清浄具の清浄部に塗布し附着された親水性の高い光触媒溶液は光や紫外線、可視光線の照射と唾液により接触した口腔内の光触媒が浸透すると殺菌性を発生させる事を知見し、歯周疾患の原因を作らない事により可能としたのである。元々、健全な口腔内には細菌やウイルス等が常に大量にあるのではなく、何らかの条件や環境により口腔内に入り込み増殖する事から、それを抑止する１つの選択肢として光触媒溶液を使用し製造された楊枝等の口腔清浄具を利用する口腔内清浄方法が好ましい。
【００２６】  さらに、酸化チタンは光があたると水分に対して非常に濡れやすくなり、このような現象は最低でも数十μｗ／ｃｍ２の強度の紫外線を必要とされているが、光触媒の性質の１つである酸化分解活性に於いては、弱い光の下では量子効率が最高水準にしている事は公知であり、低い量子効率で起きている事実が判明し、その結果、光により親水化反応を有効に使う事が出来れば、よりその効率が高められる。また、酸化タングステン（ＷＯ３）と複合化することで超親水性を発揮する事も公知であり、使用摂取量も微量のナノ単位で排泄物に出された場合でも確認が実証し得ない程のため検証が難しく、体内蓄積の有無についてはヨーロッパ等の海外から指摘される要因ともなっている。しかし、光触媒による癌患者の発生や死亡例の報告は一件もない。また、有害説の殆どが大量の微粉が発生する二酸化チタン製造工場内に長年従事している労働者や関係者のデータで報告されている事も留意すべき点である。現在では歯科関連施設でも光触媒を使用しており、何れも微量のため残留の検証でも明確な残留の有無は実証されていない。口腔内のように唾液という水分が常にある環境は最適であると思われる。しかも、歯磨き粉や歯ブラシ等でも酸化チタンは体内に残留するものではなく無害と公知され、多くはうがいにより体外に排出され、体内に摂取したものは排泄物として体外に排泄されている。
【００２７】  一方、天然に生産されるナノセルロースは、新規な増粘剤や創傷被覆材・ドラッグデリバリーシステムなど食品・医療材料への利用が期待されており、食品・医療分野では、取り扱いが容易で水などに溶解しやすいマイクロスケールの粒子が非常に多く利用され、例えば、粉体調味料やインスタント食品のパウダー・香料、或いは散剤・マイクロカプセル等が挙げられる。セルロースは長繊維を原料とすることで長繊維ナノファイバー、短繊維のセルロースを原料とすることで短繊維ナノファイバーを作製することができ、繊維長が異なると、その補強・保水・乳化・分散・透明性等の特性は大きく変化し、同じ濃度でありながら、繊維長が長くなると粘度や引張強度は高くなり、比表面積はやや減少する。さらに、電導性のあるナノセルロースは金属イオンを還元する事で繊維表面に金属ナノ粒子が担持され、繊維表面のカルボシ基に結合したイオンが還元されて金属になり、同様に生成した近傍の金属やカルボシ基とは結合していなかった金属イオンが還元され生成した金属等が一体化して、金属ナノ粒子を形成すると考えられている。また、通常、セルロースナノファイバー（以下ＣＮＦ）は水分散体で得られるが、水中で水素結合を介した３次元ネットワークを構造するため、１％程度の非常に希薄な分散液でもゲル状の粘稠な液体となり、親水性であるＣＮＦは、ポリビニルアルコールのような親水性ポリマー中には水系の複合化により容易に分散する事が出来、わずか１％のＣＮＦ添加でも大幅な強度補強が可能である。その上、ＣＮＦの繊維径は１０ｎｍ以下で揃っており、可視光の波長に比べて十分に小さいため、その水分散物は固体セルロースの分散物であるにも関わらず、透明な外観を示す。こうしたナノセルロースはその繊維径からセルロースシングルナノファイバーとも呼ばれ、従来のセルロースを原料とする増粘剤と比べても高い粘度を示す事に着目し、第一工業製薬では増粘剤・ゲル化剤として利用出来るレオクリスタも開発された。このセルロースシングルナノファイバーは、静置時には高い粘度を示すが、流動時には極端に粘度が低下する増粘剤であり、本来ゲルのスプレーは不可能であったが、セルロースシングルナノファイバーを使うとスプレー可能なゲルが調製出来る。ゲルがスプレー出来るという見せかけ上の特徴に加え、スプレーした液のタレ防止や付着性向上等の効果が期待され、容器を逆さまにしてもスプレー出来るという効果もある。殆どの水溶性高分子は擬塑性流動を示す事が知られており、カルボキシメチルセルロースに代表される水溶性セルロース誘導体も擬塑性流動を示す。セルロースシングルナノファイバーの場合に関してはその挙動変化が大きいことが特徴ではあるが、本発明とは直接関係するものではない為、あくまでも参考として依存性に関する資料を図２４に示すが、水分散物は濃度０．１％以上で降伏値を有する増粘剤で、これは０．１％以上では降伏値に相当する力を加えるまでは流動しない状態、すなわちゲルとなっている事を意味している。高い擬塑性流動や降伏値を示すことに加え、温度による粘度変化が少ない事がわかっており、これらは固体分散系の増粘剤に固有の特徴である。
【００２８】  また、上述の［００２７］にも示したが、ナノセルロースは増粘着剤であるが、光触媒については光照射により働きはじめる触媒であり、物質が原子の組み換えを行い元となる物質を生成する変化を指す化学反応の際には変化をせず、他の物質の仲介となって反応効果を高める介在物質であり、光触媒自体を表面に塗布しても露出しているわけではなく、これを確認する事は通常目視出来ない。このように従来の酸化チタン溶剤使用によるコーティング方法では光触媒が埋没しないよう、図１８に示したが吸着だけでなく接着を目的とした保護層を設け、より確実に吸着させるために接着性が高く接着剤にも使用されている無毒・無害であるポリ酢酸ビニルアルコール・ポリ酢酸と植物より開発された無毒・無害であるナノセルロース（国立研究開発法人森林総合研究所提供）の１．６％、６％溶液を低温で混合し、接着剤として楊枝の先端部全体の保護層に薄く塗布して覆い乾燥させる。その一例として噴霧された液滴では表面から水分が蒸発するため、液滴が収縮すると同時に液滴内部の水が表面に移動する対流が生じ、懸濁する繊維は液滴の表層に濃縮される。そして液滴の収縮圧力によって座屈を起こしながら繊維の集合体として乾燥される。長い棒状ナノセルロースの場合は濃縮されると配向層が自己組織化されることが特徴的で、太い輪郭となってつながり、最終的に乾燥に至ると考えられる。このような構造が小さな噴霧液滴の内部で形成され、また噴霧されてから乾燥に至る数秒という極めて短時間のうちに起こっている噴霧乾燥法によって、ナノセルロースを用いた構造体を作製することで、ナノセルロースによる保護層が木質等の楊枝上に光触媒溶液の固定化を図る事が出来る。その他のナノセルロースによる強力な粘着及び吸着は幾通りもあり従来、ナノセルロースは触媒としても公知されている。そもそも光触媒を固定化出来ず、光触媒効果の有効性を疑問視される事は光触媒における応用事例の少なさや、扱い方の難しさから、製品として光触媒の性能を最大限に発揮するには応用技術のハードルが高い事が難点である事を踏まえ、光触媒コーティングは酸化チタン粒子を微粒子にしても楊枝等の口腔清浄具の先端部から容易に剥がれ難い接着剤を作り上げ、しかも低温で乾燥も早く、木質等の性質も変化させず楊枝等の口腔清浄具の清浄部に使用が可能となった。
【００２９】  しかも、楊枝等の口腔清浄具の木製楊枝や綿製の糸ようじ、パルプ製の楊枝全てが有機物ではなく、接着剤としては有効な材料であって無毒無害である。パルプの場合、繊維と酸化チタン粒子の接触面積をこより状にする事でパルプの劣化を抑制しており、図２０に示したパルプの場合、安価な光触媒材料を提供する事も目的としている事から、１回限りの使い捨てで使用するが、総体的に楊枝等の光触媒口腔清浄具に於いては衛生面を考慮すると使い捨てで使用する方が好ましい。
【００３０】  また、光折出法で弱い光の下での光触媒による抗菌効果が公知されているが、薄暗い屋内等の普通の光にあたる可視光線で活性酸素を発生させる酸化チタンや、光が無くてもナノ単位の有害物質や化学物質等を吸着させる事も今日では光触媒の開発進化により公知されており、使用する場所は限定されない。さらに、光が酸化チタンに触れても楊枝等の光触媒口腔清浄具は酸化チタンの化学反応で分解される事はない。その上、光触媒はカテーテル等の医療用チューブに対してのコーティング効果やコーティング方法も認められており、多くの光触媒を利用した歯磨き粉や歯ブラシ、歯科医で利用され、医療器具の多さからも有効性は実証されているに等しい。但し、光触媒の有効性の無い製品も数多く流通されている事も公知されている。
【００３１】  可視光線については前記［００２８］でも記したが、光触媒に於いて光の有無は重要であり、特に光触媒口腔清浄具の清浄部は木製、繊維、紙製、ナイロン、プラスチック、ゴム、ガラス、樹脂等を使用するが、図２２に示すとおり、材質により酸化チタンが直接触れないようにする工夫も必要とする。しかも、抗菌といえば、光触媒の利用は繊維製品の分野にも広がりを見せ、一例をあげると光触媒カーテンがあり、酸化チタンを繊維に混ぜ込みその布でカーテンを製造するが、カーテンの特徴として朝は陽の光、夜は室内灯と光に当たるのが常態化しており光触媒の働きで抗菌・抗カビ・消臭等の効果を得られる。ただし、繊維は有機物であり、酸化チタンの粉末をそのまま中に混ぜ込むと光触媒反応によって分解され効果が得られない事から、酸化チタンをシリカの薄膜で覆ってしまう方法がある。それにより、酸化チタンと繊維とが直接触れ合う事は無くなるが、酸化チタンが光触媒としての効力を発揮しなくては意味がないので、周りを覆うシリカには網目のような穴を開け、繊維には触れ難く、光触媒として働く事が可能になる。また、酸化チタンにリン酸カルシウムの一種であるアパタイトの棘をつけ、イガ栗や金平糖のような状態にする方法もあり、シリカの網目を被せるのと同様に繊維に触れ難く光触媒作用が両立できる。加えて、アパタイトには吸着能力があるため、この棘々で細菌や悪臭の原因成分を捕まえる事も可能になる。これらの他にも方法はあり、楊枝等の口腔清浄具に使用する繊維や木質に関してもこれらを含む方法で実施している。ようするに、繊維や紙、プラチックなどに酸化チタンをそのまま混ぜ込むと光触媒反応によって分解されてしまうので、酸化チタンが直接触れないように加工したものを使うと、光触媒反応による基材の分解を防ぐ事が出来る。材質の中や表面に浸透させる方法であり紙製の場合はこより状で捻られその隙間に入り込ませる為、ＬＥＤライトを光触媒口腔清浄具に差し込み口腔内で使用する事も考慮するため、可視光線や紫外線について計算式で求められる事も併せて説明する。可視光線ｖｉｓｉｂｉｅ（ｖ）や紫外線Ｕｌｔｒａｖｉｏｌｅｔ（ＵＶ）の光はＸ線、マイクロ波或は電波と同様に電場と磁場を繰り返しながら進行する波、即ち電磁波である。可視光以外では色の相違は見えないが波長ｗａｖｅｌｅｎｇｈｔ（λ）と振動数ｆｒｅｑｕｅｎｃｙｎｕｍｂｅｒ（ν）を持っており、波長によって単位はメートル（ｍ）で表され、物質はその化学構造と関係して電子遷移に応じ紫外線から可視部の光を吸収する事が計算出来る。それにより、紫外可視吸光度測定法があり、楊枝のような層の厚みに光触媒を浸み込んだ光触媒には薄い被膜で面をコーティングするが木製の破損部などに入り込んだ光触媒が通過する場合を想定すると、電子遷移に伴う光の吸収を利用するもので、通常２００ｎｍ〜８００ｎｍの波長の光紫外線、可視光線を測定する方法である。図１０に示した光が厚さのある爪楊枝ιの層を通過する場合を仮に想定し、入射光の強さをＩｏ、透過光の強さをＩとした時、両者の比率を（Ｉ／Ｉｏ）を透過度ｔ（ｔｒａｎｓｍｉｔｔａｎｃｅ）で、これを１００分率で透過率（Ｐｅｒｃｅｎｔｔｒａｎｓｍｉｓｓｉｏｎ）Ｔ
2020203057.tif 000004
また、透過度ｔの逆数（ｌ／ｔ）の常用対数を吸光度Ａ（ａｂｓｏｒｂａｎｃｅ）Ａ＝−Ｉｏｇｔ＝２−Ｉｏｇｔ吸光度Ａは試料濃度に比例し、これはＢｅｅｒ法則である。吸光度Ａは試料溶液の濃度及び層長に比例すると表現され、これはＬａｍｂｅｒｔ−Ｂｅｅｒの法則でＡ＝Ｒ・Ｃ・ιであり、Ｒは比例定数、Ｃ・ιはそれぞれ濃度、層長を表す。ＣをｍｏＩ／Ｌで表しＲをεと表記、モル吸光係数ｍｏｌａｒａｂｓｏｒｐｔｉｖｉｔｙ  Ａ＝ε、ｃ、ι  試料溶液濃度１ｍｏｌ／Ｌのとき吸光度εに相当する事になり、同一測定条件下で物質に固有の値となる。また、ｃを％（ｗ／
2020203057.tif 000005
この値もまた物質固有の値となり、医薬品の示性値や紫外可視吸光度測定法を用い、上記の２式は測定対象化合物の分子量をＭとし、試料溶液のモル濃度をＸｍｏｌ／Ｌとすると、そのパーセント濃度はＸ、Ｍ／１０％（ｗ／ｖ）となり、
2020203057.tif 000006
【００３２】  さらに、蛍光光度は光源・分光部・試料部・分光部・検出部からなり、光源の光が分光部を経て試料に入射し、普通は励起光の光路と垂直の方向へ出た光を別の分光部を経て検出部に導入して観察する。この測光方式は散乱光の影響を少なくする為であり、側面方式と呼ぶ。また、試料が固体での時や高濃度の時に表面から測定する表面方式がある。化学構造と蛍光性の関係は蛍光が発光以外の過程に起こる割合や項間交差の起こりやすさなど種々の因子に左右されるため、吸収との関係よりも複雑である。経験的に多くの仮説があるが、その多くは狭い範囲にしか適用出来ない。有機化合物では蛍光を発するには分子内にπ結合の存在が必要と考えられ、つまり単結合だけで構成されている化合物は原則として蛍光を発しない。π→π＊遷移のエネルギー差が普通の紫外可視領域に対応するのに対し、単結合のσ→σ＊遷移はエネルギー差が大きく、より短波長の真空紫外線に相当し、大きなエネルギーを吸収すると発光の前に結合が解離するためと考えられている。このような事から分子内に孤立電子対を有するＣ＝Ｏ、Ｃ＝Ｎなどの構造の近くに水素結合をするもの、例えば−ＮＨ２、−ＯＨといった基が存在すると、ｎ→π＊遷移が起こりやすくなるので、しばしば蛍光性を有する。
【００３３】  また、蛍光灯の場合、次のような計算式で求める事が出来る。Ｆ＝ＫＩ０φεｃιであるが、蛍光強度Ｆは蛍光物質の溶液濃度ｃ、層長ι及び励起光の強さＩ０に比例する。記号表記としてＫ・蛍光定数、Ｉ０・励起光の強さ、φ・発光した蛍光又はリン光量子数／吸収した励起光量子数である量子収率、ε・モル吸光係数、ｃ・濃度、ι・層長となる。上記の式はＦ＝Ｉ０φ・２．３０３・εｃιとして表される事もあり、もともと蛍光の再吸収を無視した場合に成立する次の式をｃについてテーラー展開し、二次以上の項を省略したものである。Ｆ＝Ｉ０φ（１−１０−εｃι）この際、εｃιが十分小さければＦはｃに比例するとみなし、この比例関係を利用して、蛍光およびリン光の定量が行われる。ｃが大きくなればＦはｃとの比例関係を保てず、一定値であるＩ０φに近づいていく。実際は、濃度が大きくなるとφの減少が同時に起こる濃度消光と蛍光光度法は吸光法に比べて１０３倍以上も高感度の測定法であり、溶出試験・含量均一性試験法に利用されているが、これは励起スペクトル及び蛍光スペクトルを描かせるまたは暗所で紫外線を照射して肉眼で観察する。通常、波長の２５４ｎｍまたは３６５ｎｍの低圧水銀ランプを用い、日局ＸＩＶでは、液状医薬品の蛍光は黒色の背景を用いて観察すると定められている。励起スペクトル及び蛍光スペクトルに於いても最も感度の良い極大波長である各波長を調べて設定し、蛍光強度はわずかな条件の変化に影響されるので比較となる標準試薬を用いる。まず、試料中の定量する目的成分と同じ標準品について、数種の濃度の溶液を調製し、各々の蛍光強度を測定し検量線を作成する。この検量線を利用して濃度未知の試料についてその濃度を求める又は検量線が一定範囲の濃度で直線になっていることが確かめられている場合は、その濃度範囲内の既知濃度（Ｃｓ）の標準品溶液の蛍光強度（Ｆｓ）と試料溶液の蛍光強度（Ｆｔ）を測定し、それらの値より、次の比例式を用いて試料溶液の濃度（Ｃｔ）を求める事が出来る。Ｃｔ＝Ｃｓ×Ｆｔ／Ｆｓ  しかし、現在に於いては分析機器で何れの光も算出されている。
【００３４】  さらに、光触媒口腔清浄具は通常レストランのテーブル等の卓上ではガラス・陶器・木工・プラスチック・アルミで造られた容器に収められ、光触媒がＬＥＤの電球による照射光で常に活性させるケースを使用する事により、目視では確認できない程の粒子ではあるが、塗布前の溶液は保管容器が透明の場合は目視も出来る場合もある。ただし楊枝等の口腔清浄具に塗布、附着後は当然、目視は出来ず透明に塗布された光触媒口腔清浄具である。
【００３５】  また、光触媒は物体の表面に薄くコーティングされる性質上、塗布する楊枝等の光触媒口腔清浄具の１つである楊枝の清浄部は凹凸状に仕上げ、より塗布面を広くしておく事で効果も得られやすい。特に、光触媒が少しでも多く先端部層に浸透させる方法の１つとして表面を概粗目に仕上げる事も考慮する。同時に［００２６］で示した通り、固定面を広くする事により光触媒の効果も認知される。
【００３６】  一方、光触媒口腔清浄具は実施例としてあげた酸化チタンの他、酸化タングステン・ヒドロキシアパタイト等でも好ましく、細菌はヒドロキシアパタイトに吸着させ、空気中の酸素や光・紫外線・可視光線の照射と楊枝等の光触媒口腔清浄具の清浄部である光触媒溶液を附着、接着させた糸やブラシ、テープが口腔内の歯や歯茎等に触れた瞬時や歯痛や歯周疾患などの痛みが治まる等の結果を得たが、これは治癒する事を意味するのでは無く、あくまでも一時的であり、個人差にもよるため今後の臨床結果を待ちたい。また、インプラントへ使用しても良い。
【００３７】  また、酸化チタン以外の総体的なチタンの概要として、現在は高齢化社会となり、虫歯で金歯やセラミックス歯を入れている人に年配者が多いのも避けがたい事であり、このような社会背景を踏まえ、医療の分野にもチタンがかなり用いられている。整形外科用の人工関節や骨折治療の金具等にはステンレス鋼、コバルトクロム合金等と共にチタンが使われ、生体用金属材料に求められる特性は耐食性・人体への無毒性・機械的強度・生体との適合性となり、これらの点でチタンは他の金属より優れているが、チタンと言えども完璧では無く、耐食性の観点を考慮した場合、純チタン（ＪＩＳ  Ｔ  ７４０１−１）が好ましく、チタンイオンの溶出が無いため、食べ物の味が変わらないと言われている。そもそもチタンは合金として使用されパナジウムが人体に影響を与える恐れとコバルトやクロム合金により味覚に対しての影響も懸念されたが、チタンイオンの溶出が無ければ金属臭も出さない性格なのである。そこで、パナジウムを含まないＴｉ−６−Ａ１−２  Ｎｂ−１  Ｔａ合金（ＪＩＳ  Ｔ  ７４０１−３）、Ｔｉ−１５Ｚｒ−４Ｎｂ−４  Ｔａ合金（ＪＩＳ  Ｔ  ７４０１−４）、Ｔｉ−６Ａ１−７−Ｎｂ合金（ＪＩＳ  Ｔ  ７４０１−５）やＴｉ−１５Ｍｏ＝５Ｚｒ−３Ａ１合金（ＪＩＳ  Ｔ  ７４０１−６）などが開発され、２００２年に日本工業規格（ＪＩＳ）として定められ、アメリカやヨーロッパではこの分野へのチタンの適用は日本より進んでおり、１０年或はそれ以上（人工歯根の例では３０年）の長期間利用されており、チタンが原因となったトラブルは無いと言われている。チタン製ピアスによるアレルギー症状の発生事例報告も為されていない事から、チタンは摺動面でない静的な使用条件下では人体に対して安全であると言って差し支えないと考えられている。
【００３８】  さらに、酸化チタン表面にエネルギーの大きい紫外線（波長３８０ｎｍ以下の光で太陽光の３〜４％が紫外線である）が当たると、そのエネルギーで電子が移動し、移動したところは電子がいるのでマイナスに、電子が抜けたところはプラス（正孔）になり、プラスのところに有機物質があると図１９に示すように酸化反応が起こって分解する。例えば、シックハウスガスの１つであるホルムアルデヒド（ＨＣＨＯ）があれば、炭酸ガス（ＣＯ２）と水（Ｈ２Ｏ）に分解して無害化し、紫外線を当てるのを止めると酸化チタンの表面は元の状態に戻り、何も変化しないと言う状態が触媒作用である。また、特にスポーツ選手の間でも評価されているチタンテープやチタンベルトの商品や膝のサポータ、チタンシャツ等もあり、テープ等はシリコンゴムや繊維状の素材などに炭化チタンＴｉＣを混ぜて製造されている。炭化チタンは、人体の細胞内外に電位差があり微弱な状態をキープし、身体的にトラブルがあるとこの電流の流れが不整になり、炭化チタンがこの生体電流を整える効果を有している。したがって酸化チタンも炭化チタンも自然或は人体に優しい効果があると認められており、その結果、光触媒酸化チタンは、Ｓｔｒｅｐｔｏｃｏｃｃｕｓ  ｍｕｔａｎｓやＰｏｒｐｈｙｒｏｍｏｎａｓ  ｇｉｎｇｉｖａｌｉｓに対し抗菌効果が示されており、今後のニーズが高まる事が期待されている。
【００３９】  また、楊枝等の光触媒口腔清浄具は歯磨きと違い水の使用を必要としない為、どこでも使用が出来、コンパクトなケース等に入れると携帯で持ち運びも便利で、持続的な利用により口腔内細菌の殺菌や歯垢の蓄積などを除去する事が常態的となり、新たな歯周疾患の予防する事にも効果的となる。ただし、口腔内を清潔にする際に出る多くの食査や爪楊枝の木片を飲み込まないよう、口を漱ぐ事が好ましい。
【００４０】  一方、楊枝等の光触媒口腔清浄具の清浄部が木製や紙製、繊維の場合は使用後も可燃ごみとしての廃棄出来、環境にも影響が無く、誤って屋外に落としても粉砕される為、プラスチック等の固体ゴミのような公害とならない。さらに木製の爪楊枝は唾液等で柔らかくなった状態で歯間や歯に接触させると光触媒溶液が塗布された清浄部はブラシ先のように細く枝分かれし狭隘な歯間の場合でも、光触媒は光が当たる事により電子が粒子であり、且つ波である為酸化還元反応を発生させた光触媒コーティングは剥離し難く、先端が接触するため、口腔内の全てに行き届く事が可能となる。その後、うがいや口を漱ぐ事は口腔内の衛生、口臭予防に対しより好ましい。さらに、２ｃｃ以下程度の光触媒溶液を被膜袋および輪袋に挿入充填し形成されたカプセルを口腔内に圧入または楊枝に付帯したブラシ等のブラッシング摩擦により破裂させると、より狭隘な部分に光触媒溶液を附着または接着させた楊枝等の口腔清浄具の先端部が歯間に擦り込む事により光触媒の効果が歯間に満遍なく使用でき効果も大きい。
【００４１】  また、楊枝等の光触媒口腔清浄具の清浄部が紙製の場合も歯間や歯に接触させ食査の除去をするが、唾液等で柔らかくなった状態になると歯の表面等を磨き拭き取るようになるため、公知でもある光触媒溶液による歯の漂白も可能となり、その上、漂白作用は特に継続的で長期間の使用が適切なため、楊枝等の光触媒口腔清浄具の使用はより望ましいものとなる。
【００４２】  さらに、楊枝等の光触媒口腔清浄具を使用する場合、［００２４］でも示したが、虫歯菌の生育を防ぐと言われているキシリトールを光触媒と混合させ汚れの付着を防止する事も好ましく、歯痛のある場合にも使用を制限しない。また、汚れを浮かして自動洗浄とも言うべき性質、除菌、臭い消し効果がある酸化タングステンの使用も好ましく、酸化タングステンは、波長を選ばず可視光で使用出来、歯の菌は洗浄剤である酸化タングステン、酸化チタン、ヒドロキシアパタイトで取り除き、細菌は、ヒドロキシアパタイトに吸着する為、光や紫外線、可視光線の照射と楊枝等の光触媒口腔清浄具が口腔内の歯や歯茎等に触れた瞬時に空気中の酸素で瞬時に破裂し口腔内の菌を死滅させる効果もあると公知されている事から、楊枝等の光触媒口腔清浄具の使用時には歯痛緩和の改善もみられたが、臨床データを待つ事が必要である。
【００４３】  また、楊枝等の光触媒口腔清浄具は光の波長を選ばない為、自宅のどこでも使用が出来、太陽光や紫外線・蛍光灯・ＬＥＤなどの光が当たると歯の表面に酸化力が生まれ、歯の着色や口腔内菌の有害物質を分解し、分解された分子は酸素などと結合し、二酸化炭素や水になるため、体外排泄される事で人体に影響を与えず安全に使用される。さらに、口腔内の歯や歯茎は固定物ではないため、その効果について光触媒の微量な液体を用い口腔内虫歯や歯周疾患に対し実施試験を行った結果、症状や個人差にもよるが３０分から３６時間程度は痛みが治まり光触媒の化学反応性が示された。ただし、これはあくまでも一時的であり歯痛や歯痛疾患を根治する事は出来ず、歯周病菌や虫歯菌に有効性は認められていない。
【００４４】  以下、図面をもとに詳細を説明する。図１の楊枝等の光触媒口腔清浄具の１つである楊枝の先端部２は、全方向に光触媒溶液または粉体３を塗布や染付け、埋め込み、貼り付けまたはスプレー噴霧器で吹き付けされて光触媒溶液または粉体３が固定化してある。また、光折出法で弱い光の下での光触媒による抗菌効果が公知されているが、薄暗い屋内や図８のように普通の光にあたる可視光線でも反応を示す環境保全研究社開発製品のトリニティーゼットの採用により口腔内で反応し、活性酸素を発生させる酸化チタンである事から、日差しや照明器具の真下等に限定させずに、どこでも使用が出来るが、光が必要な場合は図１５に示したＬＥＤ球を使用する。また、清浄部に塗布する光触媒溶液または粉体３は、何れも市販流通されているが、その濃度については実験データをもとにオリジナルのものとなる。但し、市販の光触媒溶液に限定する場合もある。また、清浄部２は使用する箇所により形状の使い分けが出来る他、最先端部については使用時の安全上を考慮すると、出来るだけ丸みのある形状が好ましい。
【００４５】  さらに、図１の光触媒口腔清浄具の爪楊枝は１本成形であり、木製または紙製で共に吸収性に優れており、光触媒溶液または粉体３の清浄部２への浸透性の高い物質が含有されているため固定化には非常に有効である。手持部１は、円状または多角形など任意であるが、すべり落ちる事を防止する為、切れ込みや隆起させる事も一考である。
【００４６】  図２は光触媒溶液または粉体３を塗布した清浄部２の最先端部に丸みを持たせ、歯茎６に接触させているが、光触媒口腔清浄具の楊枝は木製および紙製や金属性または樹脂製であり、歯茎６や歯肉を傷つけない事を重要としている。また、楊枝として作製してあるので、日常的な使用は食査１１や歯垢を取り除く他、口腔内の洗浄という目的である事は言うまでもない。当然、光触媒溶液３は被膜を歯に薄くつける事で酸化腐敗に侵されず、うがいで口中を漱いでもその被膜は歯を保護する役割をする特性がある。
【００４７】  光触媒溶液または粉体３は従来からある銀等の抗菌剤の範囲におさまらない機能を持ち例えば大腸菌Ｏ１５７の死滅後に発生する毒素エンドトキシンやベロ毒素をも分解出来る事から、図３に示した歯肉膿瘍７や歯槽膿瘍８に光触媒口腔清浄具の楊枝の清浄部２を挿入しているが、木製の爪楊枝は唾液等で柔らかくなった状態で歯間１０や歯４に接触させると光触媒溶液または粉体３が塗布された清浄部２はブラシ先のように細く枝分かれし、狭隘な歯間の場合でも先端が光・紫外線・可視光線の照射を浴びながら接触出来、口腔内にある菌類等を抗菌する事で口腔内環境の改善の一助になると思われる。
【００４８】  光触媒口腔清浄具である楊枝は食事等で歯間１０や歯肉５に入り込む食査１１等を排除する事が大きな目的の１つであり、図５にある虫歯９で破損した箇所の歯４や歯間１０には、直接接触し排除が出来る為、光・紫外線・可視光線・蛍光灯・ＬＥＤ球１６の光を照射されながら起こる光触媒活性により歯間１０や歯肉５、歯茎６に付着する細かい雑菌等に反応させ、殺菌・分解による雑菌の死滅作用が得られ、即効性を求める事では無いが、口腔内を衛生的にする事が目的となる。
【００４９】  また、楊枝等の光触媒口腔清浄具を図６のように食後以外にもメンテナンス使用することにより、歯間１０や歯肉５の食査１１の他、口腔内の全てに行き届く事で雑菌類の増殖の原因を作らない環境も可能になり、口臭の発生も抑える事も考えられる。
【００５０】  さらに、図４に示したように歯４の表面を紙製の光触媒口腔清浄具の楊枝清浄部２が唾液等で柔らかくなった状態で擦る事により、歯４や歯間１０などに光触媒溶液や粉体３が塗布、接着されており、擦られたり触れる事により、歯４の漂白効果も期待できる。
【００５１】  光触媒に於いて光の有無は重要であり、特に楊枝等の光触媒口腔清浄具に木製や紙製を使用した場合は材質の中や表面に浸透させる方法の為、可視光線や紫外線について計算式で求められる。図１０に示したが、物質はその化学構造と関係して電子遷移に応じ紫外線から可視部の光を吸収する事が計算出来る紫外可視吸光度測定法や図１１に示した蛍光光度計の装置は光源・分光部・試料部・分光部・検出部からなり、この装置を用い図１２に示した通り、側面方式と表面方式により光の観察測定をする事が出来る。さらに、補助器具として本発明で考案した図１５（Ａ）のＬＥＤライトを使用する事で、図１５（Ｂ）のように口腔内を照射させ、より光触媒効果が得られるようになる。このＬＥＤライトは、楊枝等の光触媒口腔清浄具の手持部１を差し込み、電源コードを必要としない為、携帯可能となる。
【００５２】  さらに、楊枝等の光触媒口腔清浄具で安全性が拡大する事により、光触媒溶液３を増量する場合は図９や図１３または図１４（Ａ）のように薄い被膜の袋１２に光触媒溶液を２ｃｃ以下程度の挿入充填が好ましく楊枝等の光触媒口腔清浄具に塗布し附着接着され、歯４、歯茎６、歯肉５、歯間１０、舌もしくは唾液との接触により被膜１２が破られ溶液が放出し楊枝等の光触媒口腔清浄具先端部に附着、接着されコーティングする事で口臭元に塗布出来る。その上、図１４に示した楊枝等の光触媒口腔清浄具の手持部を回転や伸縮するように形成すると、口の大小や歯並び等、個人差がある煩雑な口腔内に楊枝等の光触媒口腔清浄具の清浄部の角度を自由に変える事が出来るようになる。さらに光触媒溶液３のカプセルを楊枝等の光触媒口腔清浄具先端部に付帯させ歯間に差し込み破裂開放させるとより広範囲に光触媒活性が得られるが、その濃度は任意であるが安全性を考慮した範囲として２ｃｃ以下程度の微量程度に限定する。
【００５３】  図１８や図２０および図２１に示したように、光触媒溶液である酸化チタンは表面精が小さい緻密で平滑な表面より、凹凸があり表面積が大きいホーラスな表面である事が吸着量に影響し、例えば図１８に示した楊枝のような木質を光触媒口腔清浄具で使用した場合、保護層を設け、その表面上に光触媒溶液で覆い吸着させる他、図２０や図２１に示したパルプ繊維や繊維についても同様である。また、本発明を実施例に基づき具体的に説明したが、本発明は上記実施例に限定されるものではなく、その要旨を逸脱しない範囲で種々変形可能であることは言うまでもない。
【符号の説明】
【００５４】１    手持部
２    清浄部
３    光触媒溶液または粉体
４    歯
５    歯肉
６    歯茎
７    歯肉膿瘍
８    歯槽膿瘍
９    虫歯
１０  歯間
１１  食査
１２  光触媒溶液袋・輪袋
１３  糸
１４  ブラシ
１５  テープまたは紐
１６  ＬＥＤ球
１７  電池
１８  ケース
１９  スイッチ
２０  挿入口
２１  回転または伸縮
【図１】
2020203057.tif 000007
【図２】
2020203057.tif 000008
【図３】
2020203057.tif 000009
【図４】
2020203057.tif 000010
【図５】
2020203057.tif 000011
【図６】
2020203057.tif 000012
【図７】
2020203057.tif 000013
【図８】
2020203057.tif 000014
【図９】
2020203057.tif 000015
【図１０】
2020203057.tif 000016
【図１１】
2020203057.tif 000017
【図１２】
2020203057.tif 000018
【図１３】
2020203057.tif 000019
【図１４】
2020203057.tif 000020
【図１５】
2020203057.tif 000021
【図１６】
2020203057.tif 000022
【図１７】
2020203057.tif 000023
【図１８】
2020203057.tif 000024
【図１９】
2020203057.tif 000025
【図２０】
2020203057.tif 000026
【図２１】
2020203057.tif 000027
【図２２】
2020203057.tif 000028
【図２３】
2020203057.tif 000029
【図２４】
2020203057.tif 000030